(57)【特許請求の範囲】
【請求項１】
遮熱シートを溝形フレームの溝内に固定する、遮熱シートの杆状固定工具であって、
上記遮熱シートは、上記溝形フレームの溝内面と、溝形状の内装フレームの外面との間に挟まれた状態に配され、溝内に収容された内装フレームの上面で、略長方形状の平板よりなる固定部材を回転操作して該固定部材の両短辺を溝内の両側壁に向け、両側壁を押圧して遮熱シートが溝内に固定される固定構造となっており、
杆体の一端部に、上記内装フレームを上記溝形フレームの溝内に押さえ込む押さえ込み片を備えるとともに、他の一端部に、上記固定部材を回転させる回転操作片を備えたことを特徴とする、遮熱シートの杆状固定工具。
【発明の詳細な説明】
【技術分野】
【０００１】
本発明は、遮熱シートを溝形フレームの溝内に固定する、遮熱シートの杆状固定工具に関する。
【背景技術】
【０００２】
従来、屋根上に遮熱シートを配設するために、屋根上固定具を介して溝形フレームを屋根上に架設し、その溝形フレームで遮熱シートを固定、張設するようにした遮熱シートの取付構造が提案されている（特許文献１参照）。
【０００３】
遮熱シートをこのように溝形フレームの溝内に固定状態に取り付けるためには、まず、遮熱シートが溝形フレームの溝内面と、溝形状の内装フレームの外面との間に挟まれるようにして、内装フレームと遮熱シートを溝内に押さえ込み、さらにその内装フレームの内底面上で、略長方形状の平板よりなる固定部材の両短辺を溝内の両側壁に向け、その固定部材で溝部の両側壁を押圧させて、遮熱シートを溝内に固定（仮固定）する方法が採られている。確実に遮熱シートを固定するために、溝内にはさらに溝内固定用の波形スプリングを内装し、フレームカバーを溝開口を塞ぐように取り付け、ビス等で固定する固定構造になっている。
【０００４】
上記固定部材は、その長辺を溝形フレームの長手方向に向けて溝内に落とし込んだ後、それを約９０度回転させることで溝の両側壁間に圧嵌され、押圧によって遮熱シートを固定できるようになっている。例えば、Ｌ形杆状のドライバーの先端を固定部材の表面に設けた操作溝に差し込んで回転操作することで、固定部材の圧嵌取付は簡単に行える。
【先行技術文献】
【特許文献】
【０００５】
【特許文献１】特開２０１０−１１２００７号公報
【発明の概要】
【発明が解決しようとする課題】
【０００６】
ところで、遮熱シートの取り付けにおいてもっとも面倒な作業は、遮熱シートをある程度強い張力で溝形フレーム間に張設することであり、そのためには遮熱シートを張った状態を維持しながら、その遮熱シートとともに内装フレームを溝形フレームの溝内に押さえ込まなければならない。
【０００７】
しかしながら、従来では、この押さえ込み作業を手指や手近にある工具等を使って行っていたため、作業途中で遮熱シートが弛んでしまうことがあった。つまり、遮熱シートの一端あるいは中間等を溝形フレームに取り付けた後、隣設された別の溝形フレームに遮熱シートの他の部位を取り付ける際には強い力で確実に張力を維持する必要があるから、その場合には困難な作業を強いられていた。
【０００８】
また、遮熱シートの溝形フレームへの押さえ込みにおいて張力を維持できなかった場合、そのままの状態では、その後の固定部材による固定作業ができないから、十分な張力状態となるまで押さえ込み作業をなんども繰り返さなければならなかった。
【０００９】
本発明は、このような事情を考慮して提案されたもので、その目的は、遮熱シートの溝形フレームの溝内への押さえ込みと固定部材による固定の両作業が行える、シンプルで持ち運び容易な遮熱シートの杆状固定工具を提供することにある。
【課題を解決するための手段】
【００１０】
上記目的を達成するために、請求項１に記載の遮熱シートの杆状固定工具は、遮熱シートを溝形フレームの溝内に固定する、遮熱シートの杆状固定工具であって、遮熱シートは、溝形フレームの溝内面と、溝形状の内装フレームの外面との間に挟まれた状態に配され、溝内に収容された内装フレームの上面で、略長方形状の平板よりなる固定部材を回転操作して該固定部材の両短辺を溝内の両側壁に向け、両側壁を押圧して遮熱シートが溝内に固定される固定構造となっており、杆体の一端部に、内装フレームを溝形フレームの溝内に押さえ込む押さえ込み片を備えるとともに、他の一端部に、固定部材を回転させる回転操作片を備えたことを特徴とする。
【発明の効果】
【００１１】
請求項１に記載の遮熱シートの杆状固定工具によれば、杆体の一端部に内装フレームを溝形フレームの溝内に押さえ込む押さえ込み片を備え、他の一端部に固定部材を回転させる回転操作片を備えた構成であるため、遮熱シートの溝形フレームの溝内への押さえ込みおよび固定部材による遮熱シートの固定の両作業が、１つの工具で手際よく行える。また、杆状のシンプルな形状の工具であるため、携帯に便利で、屋根上でも無理なく使用できる。
【図面の簡単な説明】
【００１２】
【図１】（ａ）、（ｂ）はそれぞれ、本発明の実施形態に係る遮熱シートの杆状固定工具の正面図、底面図である。
【図２】遮熱シートの取付状態を示す正面図および部分拡大断面図である。
【図３】遮熱シートの取付状態を示す平面図および部分拡大平面図である。
【図４】遮熱シートの溝形フレームへの取付手順（１）を示す斜視図である。
【図５】遮熱シートの溝形フレームへの取付手順（２）を示す斜視図である。
【図６】遮熱シートの溝形フレームへの取付手順（３）を示す斜視図である。
【図７】遮熱シートの溝形フレームへの取付手順（４）を示す斜視図である。
【図８】遮熱シートの溝形フレームへの取付手順（５）を示す斜視図である。
【図９】遮熱シートの溝形フレームへの取付手順（６）を示す斜視図である。
【図１０】（ａ）〜（ｃ）は本発明の杆状固定工具の他の形状例を示す概略正面図である。
【図１１】本発明の遮熱シートの杆状固定工具の他の例を示す部分斜視図である。
【図１２】（ａ）、（ｂ）は本発明の遮熱シートの杆状固定工具のさらに他の２例を示す部分斜視図である。
【発明を実施するための形態】
【００１３】
以下に、本発明の実施の形態について、添付図面を参照しながら説明する。
【００１４】
図１（ａ）、（ｂ）はそれぞれ、本発明の実施形態に係る遮熱シートの杆状固定工具の正面図、底面図である。図２は、その杆状固定工具を使用して取り付けた遮熱シートの取付状態を示す正面図および部分拡大断面図である。図３は、遮熱シートの取付状態を示す平面図および部分拡大平面図である。なお、以下では遮熱シートの杆状固定工具を杆状固定工具と省略して記す。
【００１５】
図１に示すように、杆状固定工具２０は厚さ数ｍｍ程度の帯状の金属板をＬ字状に折曲加工してなり、その杆体の本体部２１の一端部には内装フレーム５０（図２参照）を遮熱シート１０（図２参照）とともに溝形フレーム３０（図２参照）の溝内に押さえ込む押さえ込み片２２が形成され、他の一端部には遮熱シート１０（図２参照）を溝内に固定するための固定部材６１（図２参照）を回転操作するための回転操作片２３が形成されている。
【００１６】
この杆状固定工具２０は、その幅寸法が溝形フレーム３０の溝開口幅よりもやや小さく、長さ寸法は片手で回転操作ができる程度の大きさに形成されている。なお、杆体の本体部２１のうち溝形フレーム３０の溝内に差し入れない部位は幅広であってもよい。
【００１７】
杆状固定工具２０の押さえ込み片２２は、Ｌ字状の杆体の本体部２１の短片２１ａの先端を折曲加工してなり、短片２１ａが延びる方向を向く、長片２１ｂに略平行な矩形板を有した構成となっている。この矩形板は長片２１ｂの長手方向に長い長方形状であり、４隅が面取りされている。矩形板の短辺の寸法は上述したように溝形フレーム３０の溝開口幅寸法よりもやや小さく、長辺の寸法は溝形フレーム３０の溝部３１の底部３２の幅寸法よりやや小さくなっていることが望ましい。なお、長辺はさらに長くしてもよい。
【００１８】
また、回転操作片２３は、杆体の他の一端部の幅方向の両端を一部切除して形成された突片よりなる。なお、この突片は後述する固定部材６１の操作溝６１ａ（図７参照）に対応した寸法となっている。
【００１９】
この杆状固定工具２０の押さえ込み片２２および回転操作片２３の使用方法の詳細については、後出の図４〜図９において詳述する。
【００２０】
一方、遮熱シート１０は、その取付対象が図２に示しているように波形屋根１であり、波形屋根１の屋根材の端部を連結した連結山部１ａに屋根上固定具３を固定したうえで、その上に溝形フレーム３０を架設して、さらにその上に遮熱シート１０を取り付けるようにしたものである。なお、取付対象の屋根は波形屋根１に限定されず、他の屋根であってもよい。
【００２１】
屋根上固定具３は、その構造の詳細を図示していないが、２つの挟着片３ａを組み合わせてなり、連結山部１ａの上方に突出した連結用のボルト体２の軸部に２つの挟着片３ａを挟着して屋根に固定される構造となっている。また、溝形フレーム３０は、屋根上固定具３に対してビス止めにて固定される構造となっている。なお、図２中の３ｂは２つの挟着片３ａを緊締してボルト体２の軸部に挟着する緊締ボルトであり、１ｂはボルト体２で固定するための屋根材支持金具（タイトフレーム）である。
【００２２】
屋根上固定具３については、他の構造の屋根上固定具を用いてもよい。また、屋根材がハゼ結合されている屋根の場合、そのハゼ部に対して固定可能な屋根上固定具が用いられるが、本発明はそのような屋根上固定具を用いたものについても適用可能である。
【００２３】
また、遮熱シート１０を固定する溝形フレーム３０は、金属または硬質の合成樹脂（例えばＦＲＰ）より製された凹溝体よりなり、その溝部３１の開口の幅方向の両端部には巻き込み成形した強化リップ部３４が形成されている。
【００２４】
遮熱シート１０を屋根上に固定、張設するためには、溝形フレーム３０の他に、溝形フレーム３０と断面が略同一形状の内装フレーム５０と、角部をアール成形した長方形状の固定部材６１と、長尺状の波形スプリング６２と、溝部３１の開口を塞ぐフレームカバー４０とを使用している。このフレームカバー４０の幅方向の両端には、遮熱シート１０を押さえる押さえ片４１が形成されている。このフレームカバー４０は、溝形フレーム３０の底部３２と、屋根上固定具３の天板部をビスＳで貫通させて固定される。
【００２５】
遮熱シート１０は、このように溝形フレーム３０の溝内で内装フレーム５０の外面と溝形フレーム３０の溝内面との間に挟み込み、遮熱シート１０がずれないように溝内側より固定部材６１や波形スプリング６２で押圧して固定する固定構造となっている。
【００２６】
このような挟み込みの構造であるから、溝形フレーム３０の溝部３１に内装させる内装フレーム５０はその底部５２が幅方向に伸張および折曲が可能であり、かつ開口フランジ片５４が溝形フレーム３０の強化リップ部３４より外れないように、凹溝形状が変形しないように成形されていることが望ましい。例えば、硬質の合成樹脂で形成し、幅方向に伸びるように底部５２に長手方向に複数の千鳥状の切り溝を入れた内装フレーム５０を使用すればよい。
【００２７】
一方、遮熱シート１０は、柔軟性、伸縮性を有し、太陽熱を反射して遮断・遮熱する合成樹脂シートで構成されており、例えば本実施形態に示すように、太陽熱等を反射して遮断・遮熱する銀色等に着色した樹脂糸材を縦横に編んで形成した織物シートを好適に使用できる。
【００２８】
この遮熱シート１０は、屋根上に固定した溝形フレーム３０に固定され、溝形フレーム３０間に張設されるようになっている。本実施形態では、溝形フレーム３０に直交する方向に帯状に長い遮熱シート１０が用いられている。なお、本実施形態で用いる遮熱シート１０は、図３に示すように、幅方向の両端部１１、１１を除く部分（クロスハッチングで示した部位）は縦横の樹脂糸材で編み込まれて目が詰まっているが、両端は樹脂糸材（横糸１０ａ）を縦糸１０ｂで固定しないようにしている（図３の１点鎖線で囲んだ部分拡大平面図参照）。
【００２９】
ついで、遮熱シート１０の固定張設手順について、図４〜図９を参照しながら説明する。
【００３０】
まず、溝形フレーム３０の溝部３１の開口に遮熱シート１０を載せ、その上からさらに内装フレーム５０を載せ置く（図４、図５参照）。
【００３１】
その状態で杆状固定工具２０の押さえ込み片２２を、その矩形板の板面を下方に向けて内装フレーム５０の溝内に押し入れ、その状態で内装フレーム５０を、遮熱シート１０を下に配した状態で、内装フレーム５０の底部５２を変形させながら溝形フレーム３０の溝内に押さえ込んでいき、押し入れる（図５、図６参照）。
【００３２】
そして押し入れた後は、その状態であるいはいったん杆状固定工具２０を取り出して、内装フレーム５０の長手方向の他の部位においても同様に押さえ込み片２２で押さえ込み操作をして、内装フレーム５０の全体を溝形フレーム３０の溝部３１に装着する。
【００３３】
遮熱シート１０を溝形フレーム３０の溝内面と、内装フレーム５０の溝外面との間に隙間なく装着させるためには、さらに杆状固定工具２０の押さえ込み片２２を回転させながら矩形板の短辺または角部で内装フレーム５０の溝部５１の側壁５３を押圧するようにすることが望ましい。押さえ込み片２２の溝内での回転操作をしやすくするために、角部は図例のように面取りしておくことが望ましい。
【００３４】
このように、杆状固定工具２０の一端部に押さえ込み片２２が形成されているので、簡単に内装フレーム５０と遮熱シート１０とを溝形フレーム３０に装着させることができる。つまり、遮熱シート１０の一端あるいは中間等を溝形フレーム３０に取り付けた後、隣設された別の溝形フレーム３０に遮熱シート１０の対応する部位を取り付ける際には強い力で確実に張力を維持する必要があるが、そのような場合でも内装フレーム５０と遮熱シート１０をいっしょに押さえ込むことができるので、比較的簡易に遮熱シート１０を張設することができる。また、遮熱シート１０は内装フレーム５０とともに装着されるから、その後の固定作業を行うまで、内装フレーム５０の開口フランジ片５４を上方より手指で押さえていれば、遮熱シート１０が溝外に外れてしまうおそれはない。
【００３５】
このように溝形フレーム３０に装着された遮熱シート１０は、以下に説明する固定部材６１の溝内への装着によって、溝形フレーム３０にずれないように固定される。
【００３６】
固定部材６１は、合成樹脂または金属で製された略長方形状の平板よりなり、その中央には、長辺方向に沿った操作溝６１ａが形成されている。なお、この操作溝６１ａは両面のいずれでも使用できるように貫通溝とすることが望ましい。
【００３７】
また、この固定部材６１の長辺の寸法は、両短辺で溝形フレーム３０の溝部３１の側壁３３を押圧できる程度の寸法とすることが望ましい。
【００３８】
まず、このような固定部材６１を、遮熱シート１０が内装フレーム５０とともに装着された溝内に落とし入れる（図７参照）。
【００３９】
その状態で杆状固定工具２０の回転操作片２３を下方に向け、溝内に置かれた固定部材６１の操作溝６１ａに回転操作片２３を差し込み、差し込んだ状態で横方向に、固定部材６１の両短辺が溝内の内装フレーム５０の側壁５３に圧接するまで回転させる（図７、図８参照）。
【００４０】
固定部材６１は、その両短辺が溝内の内装フレーム５０の側壁５３（溝形フレーム３０の側壁３３）を押圧する構成であるため、長辺が溝形フレーム３０の長手方向に直交するまで回転することで固定部材６１は圧嵌され、その結果、遮熱シート１０は溝形フレーム３０の溝内面と、内装フレーム５０の外面との間に挟着された状態となり、固定される。
【００４１】
このような固定部材６１を遮熱シート１０の幅方向に複数箇所、取り付けることで、遮熱シート１０はほとんどずれないように、溝形フレーム３０の溝部３１に固定される。
【００４２】
こうして遮熱シート１０を仮固定した後、さらに波形スプリング６２を、その山部６２ａと谷部６２ｂが溝部３１の側壁３３を内側から押圧するように溝部３１内に装着する（図９参照）。
【００４３】
波形スプリング６２は、内装前の弾性力が作用しない状態では、その山部６２ａから谷部６２ｂまでの幅寸法（振幅の２倍）が溝部３１の底部３２の幅寸法（内寸法）よりも大きく形成されており、溝部３１に内装することで弾性変形し、弾性復帰力が作用して、さらに内装フレーム５０を溝部３１の側壁３３側へ押圧する。
【００４４】
このように遮熱シート１０を溝部３１の内側からの押圧によって溝形フレーム３０に固定してから、フレームカバー４０を溝部３１の開口を隠すように被せて、ビスＳ（ドリルねじ等）で溝形フレーム３０に固定する（図９参照）。
【００４５】
このように、杆状固定工具２０の他の一端部に回転操作片２３が形成されているので、固定部材６１を回転操作でき、遮熱シート１０を溝形フレーム３０に固定することができる。
【００４６】
また、杆状固定工具２０は、押さえ込み片２２および回転操作片２３をともに備えた構成であるため、遮熱シート１０の溝形フレーム３０の溝内への押さえ込みおよび固定部材６１による遮熱シート１０の固定の両作業が、１つの工具で手際よく行える。また、杆状のシンプルな形状の工具であるため、携帯に便利で、屋根上でも無理なく使用できる。
【００４７】
ついで、本発明の杆状固定工具の他の形状例について、図１０（ａ）〜（ｃ）に示した杆状固定工具の概略正面図を参照しながら説明する。この図では、杆状固定工具２０に設けた押さえ込み片２２および回転操作片２３の詳細形状は図示していないが、図中のＸ１、Ｘ２、Ｘ３またはＹ１、Ｙ２、Ｙ３の一方には例えば図１で示した押さえ込み片２２が形成され、他方には例えば図１で示した回転操作片２３が形成されている。
【００４８】
図１０（ａ）の杆状固定工具２０はコ字形に形成されており、両端部Ｘ１、Ｙ１のいずれか一方に押さえ込み片２２（図１参照）が形成され、他方に回転操作片２３（図１参照）が形成されている。このようにコ字形に形成されているので、取り扱い、保管等に便利である。
【００４９】
図１０（ｂ）の杆状固定工具２０は２箇所で折曲されてクランク形状に形成されており、両端部Ｘ２、Ｙ２のいずれか一方に押さえ込み片２２（図１参照）が形成され、他方に回転操作片２３（図１参照）が形成されている。このようにクランク形状に形成されているので、一方（例えばＸ２）を使用する際には、他方（例えばＹ２）を設けた杆体を回転操作の際にハンドル替わりに使用できるので、操作性がよい。
【００５０】
図１０（ｃ）の杆状固定工具２０は端部Ｘ３、Ｘ３、Ｙ３が３箇所あり、下方を向く端部Ｘ３、Ｘ３のそれぞれに押さえ込み片２２（図１参照）が形成され、上方を向く端部には回転操作片２３（図１参照）が形成されている。このように２つの押さえ込み片２２を同列に備えているので、遮熱シート１０（内装フレーム５０）を２箇所で同時に押さえ込むことができ、作業の迅速化が図れる。この杆状固定工具２０は例えば、図示するようにコ字形の杆体と、Ｌ字形の杆体とを固着して成形すればよい。
【００５１】
図１１は、杆状固定工具の押さえ込み片の他の形状例を示す部分斜視図である。
【００５２】
この押さえ込み片２２は、別体の板体２２ａを杆体の本体部２１の先端に取り付けてなるもので、板体２２ａ中央の開口溝２２ａａに杆体の本体部２１の先端に設けた差込片２１ｃを差し込んで、かしめ結合させたものである。この押さえ込み片２２によれば、一体物の折曲形成ではないので、杆体の本体部２１を操作しやすい他の形状（例えば柱状体）とすることもでき、頑丈で使い勝手のよい杆状固定工具２０を構成することができる。
【００５３】
図１２（ａ）、（ｂ）は、杆状固定工具の回転操作片の他の形状例を示す部分斜視図である。
【００５４】
図１２（ａ）に示した回転操作片２３は、固定部材６１に設けた２つの操作穴６１ｂに装着できるように２つの突片で構成されている。また、図１２（ｂ）に示した回転操作片２３は、固定部材６１の３つの操作穴６１ｂに対応して３つの突片で構成されている。なお、図１２（ｂ）には、杆体を柱状に形成した杆状固定工具２０を例示している。
【００５５】
回転操作片２３の差込対象が操作溝６１ａ（図７参照）で形成されている場合は、回転操作によって操作溝６１ａが変形し（ばかになる）、装着し直しする際に回転操作できなくなるおそれがあるが、複数の操作穴６１ｂで構成したものでは、ばかになる可能性が低く、繰り返しの回転操作も耐えられる。
【００５６】
また、回転操作片２３としては、固定部材６１をその短手方向を挟み込んで回転できるように、２片の挟み込み片で構成したものでもよい。
【符号の説明】
【００５７】
１０      遮熱シート
２０      杆状固定工具
２１      杆体の本体部
２２      押さえ込み片
２３      回転操作片
３０      溝形フレーム
３１      溝部
３２      底部
３３      側壁
３４      強化リップ部
４０      フレームカバー
５０      内装フレーム
５１      溝部
５２      底部
５３      側壁
５４      開口フランジ片
６１      固定部材
６２      波形スプリング
１      波形屋根
３      屋根上固定具
【図１】
0005114542.tif 000002
【図２】
0005114542.tif 000003
【図３】
0005114542.tif 000004
【図４】
0005114542.tif 000005
【図５】
0005114542.tif 000006
【図６】
0005114542.tif 000007
【図７】
0005114542.tif 000008
【図８】
0005114542.tif 000009
【図９】
0005114542.tif 000010
【図１０】
0005114542.tif 000011
【図１１】
0005114542.tif 000012
【図１２】
0005114542.tif 000013